(57)【要約】【課題】階段用滑り止め材の一部に硬質又は半硬質の合成樹脂を使用し、軟質の合成樹脂の特性を生かしながら、使用時に台座から外れることのない嵌着式の階段用滑り止め材を提供すること。【解決手段】軟質の合成樹脂層２中に硬質又は半硬質の合成樹脂層３を入れた階段用滑り止め材１であって、該滑り止め材１の台座４への装着時に前記硬質又は半硬質の合成樹脂層３が階段の段鼻側となり、且つ、滑り止め材１の裏面若しくは裏面近傍側となる位置に入った状態となるように一体成形したことを特徴とする。【選択図】        図１
2004308390.tif 000002
【特許請求の範囲】
【請求項１】
軟質の合成樹脂層２中に硬質又は半硬質の合成樹脂層３を入れた階段用滑り止め材１であって、該滑り止め材１の台座４への装着時に前記硬質又は半硬質の合成樹脂層３が階段の段鼻側となり、且つ、滑り止め材１の裏面若しくは裏面近傍側となる位置に入った状態となるように一体成形したことを特徴とする階段用滑り止め材１。
【請求項２】
請求項１記載の階段用滑り止め材１において、前記硬質又は半硬質の合成樹脂層３を、同硬質又は半硬質の合成樹脂層３の端部が台座４の階段の段鼻側にある折曲片４２ａと水平片４２との間の隙間に嵌合する位置となるように軟質の合成樹脂層２中に入れたことを特徴とする階段用滑り止め材１。
【請求項３】
請求項１記載の硬質又は半硬質の合成樹脂層３の幅を滑り止め材１の幅の１／３以上で１／２以下としたことを特徴とする請求項１記載の階段用滑り止め材１。
【請求項４】
請求項１記載の滑り止め材１の下面に階段用滑り止め本体の台座４の取付用のアンカーボルトの頭部を収納する凹溝１ａを複数箇所形成したことを特徴とする請求項１記載の階段用滑り止め材１。
【発明の詳細な説明】
【０００１】
【発明の属する技術分野】
本発明は、階段の踏面に予め固定された階段用滑り止め本体の台座に装着することが容易に行え、階段の昇り降りでは外れることのない階段用滑り止め材に関するものである。
【０００２】
【従来の技術】
一般に、階段の踏面に予め固定された滑り止め本体の台座に接着剤等を使用しないで装着する嵌着式の階段用滑り止め材は、熱可塑性であっても常温では曲げることができない硬質又は半硬質の合成樹脂は使用できず、屈曲性のある軟質の合成樹脂製のものでなければならなかった。
【０００３】
【発明が解決しようとする課題】
しかしながら、軟質の合成樹脂製の階段用滑り止め材にあっては、屈曲自在であるため装着することが容易であるという利点はあるが、逆に屈曲自在であるため幅が５０ｍｍ以上ある広幅の滑り止め材の場合は階段の昇り降りの際の足圧によって滑り止め本体の台座から外れ易いという問題点があった。
【０００４】
そのため、階段用滑り止め材の幅が５０ｍｍ以上ある場合、嵌着式の施工方法は採れず、従来は裏面に金属板を貼り、接着剤によって滑り止め本体の台座に貼着させる方法で施工していた。
【０００５】
しかしながら、階段用滑り止め材を接着剤によって滑り止め本体の台座に貼着させる方法にあっては、滑り止め材の加工費が高価となるだけでなく、取り付け作業が面倒で施工費が高価となる問題点があった。
【０００６】
【発明の目的】
本発明は、上記従来技術の問題点を解決するために、階段用滑り止め材の一部に硬質又は半硬質の合成樹脂を使用し、軟質の合成樹脂の特性を生かしながら、使用時に台座から外れることのない嵌着式の階段用滑り止め材を提供することを目的とするものである。
【０００７】
【課題を解決するための手段】
本発明に係る階段用滑り止め材は、軟質の合成樹脂層中に硬質又は半硬質の合成樹脂層を入れた階段用滑り止め材であって、該滑り止め材の台座への装着時に前記硬質又は半硬質の合成樹脂層が階段の段鼻側となり、且つ、滑り止め材の裏面若しくは裏面近傍側となる位置に入った状態となるように一体成形したことを特徴とするものである。
【０００８】
【発明の作用】
滑り止め材の台座への装着時には、軟質の合成樹脂層の屈曲性により容易に装着でき、滑り止め材の使用時には、足圧が掛かる方向にある硬質又は半硬質の合成樹脂層の剛性により滑り止め材の台座からの外れが防止される。
【０００９】
【発明の実施の形態】
本発明装置の実施の形態を実施例について具体的に説明する。
【００１０】
【実施例】
図１は、本発明に係る階段用滑り止め材の縦断側面図、図２、図３は、同滑り止め材を滑り止めの台座に装着する手順を表わす説明図、図４は、同滑り止め材を滑り止めの台座に装着した状態の縦断側面図、図５は、既設の階段用滑り止め具の台座のみを残して新たに階段用滑り止め具を敷設した状態の縦断側面図である。
【００１１】
図１に記載の１は、本発明に係る階段用滑り止め材であって、軟質の合成樹脂層２中に硬質又は半硬質の合成樹脂層３を入れた構成となっており、該滑り止め材１を後述する台座へ装着するときに硬質又は半硬質の合成樹脂層３が階段の段鼻側となり、且つ、滑り止め材１の裏面若しくは裏面近傍側となる位置に入った状態となるように共押出同時成形法により一体成形してある。
【００１２】
また、滑り止め材１の下面に形成した凹溝１ａ…１ａは、後述する階段用滑り止め本体の台座を階段の踏み面に取り付ける際のアンカーボルトの頭部が滑り止め材１の装着時に滑り止め材１の下面に当たらないようにするための凹溝であり、滑り止め材１の表面に形成した凹凸１ｂ、１ｃは、滑り止め材１を踏む靴との摩擦抵抗を大きくするための凹凸であって、図示のように溝状であっても突起状であってもよいものである。
【００１３】
４は、階段の踏み面にアンカーボルトを介して取り付けられる階段用滑り止め本体の台座であって、階段Ａの段鼻部を隠す前垂れ片４１と水平片４２とから構成され、水平片４２の前後には前記滑り止め材１の両側端が水平片４２との間で形成される隙間に嵌着されるように折曲部４２ａ、４２ｂが形成されている。
【００１４】
次に、本発明滑り止め材の台座への装着方法並びにその作用効果を説明する。
【００１５】
先ず、滑り止め材１を図２のように斜めにして硬質又は半硬質の合成樹脂層３側の端部を台座４の前方（階段の段鼻側）の折曲部４２ａと水平片４２の間の隙間に差し入れ、次に滑り止め材１を図３のように折り曲げながら他端を滑り止め本体の台座４の後方の折曲部４２ｂと水平片４２の間の隙間に差し入れ、上から押してやることによって滑り止め材１の両側端が両折曲部４２ａ、４２ｂに押えられて抜け止めされ、滑り止め材１の台座４への装着が完了し、図４のような階段用滑り止め具となる。
【００１６】
この滑り止め具の使用状態にあっては、階段を昇る際には、足が滑り止め材１の表面を段鼻方向に蹴ることになり、また、階段を降りる際にも足が滑り止め材１を段鼻方向に押すことになるが、この段鼻方向には硬質又は半硬質の合成樹脂層３があって剛性があるため、この段鼻方向に力が加わっても変形することがなく、滑り止め材１が台座４から外れることがないものである。
【００１７】
尚、硬質又は半硬質の樹脂層３の幅が滑り止め材１の幅の１／３以下の場合は、軟質の合成樹脂部分の幅が大きくなって硬質又は半硬質の樹脂層３部分以外のところで変形が生じて外れる可能性があり、また、硬質又は半硬質の樹脂層３の幅が滑り止め材１の幅の１／２以上の場合は、台座３への装着時に屈曲させることが困難となるため、硬質又は半硬質の樹脂層３の幅は滑り止め材１の幅の１／３以上で１／２以下であることが好ましい。
【００１８】
図５は、既設の階段用滑り止め具の台座Ａのみを残して新たに広幅の階段用滑り止め具を敷設する場合の実施例を表わす縦断側面図で、旧来使用されていた台座Ａから滑り止め材のみを外し、その上に被せるように台座４をアンカーボルトＢで階段の踏み面に取り付けて滑り止め材１を上述の作業によって装着したものであって、既設の階段用滑り止め具の台座を取り外さなくてもよいので、施工作業が簡略化されるものである。
【００１９】
【発明の効果】
以上述べた如く、本発明に係る階段用滑り止め材によれば、軟質の合成樹脂層中に硬質又は半硬質の合成樹脂層を入れた階段用滑り止め材であって、該滑り止め材の台座への装着時に前記硬質又は半硬質の合成樹脂層が階段の段鼻側となり、且つ、滑り止め材の裏面若しくは裏面近傍側となる位置に入った状態となるように一体成形したものであるから、滑り止め材の台座への装着時には、軟質の合成樹脂層の屈曲性により容易に装着でき、滑り止め材の使用時には、足圧が掛かる方向にある硬質又は半硬質の合成樹脂層の剛性により滑り止め材の台座からの外れが防止されるもので、階段用滑り止め具の幅が５０ｍｍ以下に限らず５１ｍｍ幅以上の広幅の階段用滑り止め具に軟質の合成樹脂の特性を生かしながら、使用時に台座から外れることのない施工性のよい嵌着式の階段用滑り止め材を提供することができるものである。
【００２０】
尚、本実施例にあっては請求項２のように、硬質又は半硬質の合成樹脂層３を、同硬質又は半硬質の合成樹脂層３の端部が台座４の階段の段鼻側にある折曲片４２ａと水平片４２との間の隙間に嵌合する位置となるように軟質の合成樹脂層２中に入れたものを例示したが、硬質又は半硬質の合成樹脂層３を軟質の合成樹脂層２中に入れる位置は階段の昇り降りの際に滑り止め材１が変形せず、所期の目的が達成できる位置であれば実施例に限定されるものではないことは勿論である。
【図面の簡単な説明】
【図１】本発明に係る階段用滑り止め材の縦断側面図である。
【図２】同滑り止め材を滑り止めの台座に装着する手順を表わす説明図である。
【図３】同滑り止め材を滑り止めの台座に装着する手順を表わす説明図である。
【図４】同滑り止め材を滑り止めの台座に装着した状態の縦断側面図である。
【図５】既設の階段用滑り止め具の台座のみを残して新たに階段用滑り止め具を敷設した状態の縦断側面図である。
【符号の説明】
１          階段用滑り止め材
２          軟質の合成樹脂層
３          硬質又は半硬質の合成樹脂層
４          台座
【図１】
2004308390.tif 000003
【図２】
2004308390.tif 000004
【図３】
2004308390.tif 000005
【図４】
2004308390.tif 000006
【図５】
2004308390.tif 000007